(57)【要約】      （修正有）【課題】明るさによって、夜間に周りの人々に迷惑をかけることを最小化できるロッドスタンドを提供する。【解決手段】発光体が備えられたロッドスタンドであり、ロッドスタンドに底面発光部１０が敷設されていて、底面発光部１０には釣り竿と連動して発光装置を点灯または消灯することができる発光体が備えられ、ロッドスタンドに釣り竿の安着可否によって自動に点灯または消灯される。【選択図】図１
0003228116.tif 000002
【実用新案登録請求の範囲】
【請求項１】
発光体が備えられたロッドスタンドにおいて、
内蔵バッテリー、上記内蔵バッテリーと繋がっている制御部、及び上記制御部と繋がっているパッド型スイッチ部を備えた支持部と；上記支持部の上端に釣り竿が安着されるようにＹ型掛け空間部が形成されている掛け部と；上記掛け部の両端に設けられて釣り竿が安着されると回転拡張され、釣り竿が離脱すると回転が元に戻る２つの回転掛け部と；上記掛け部の底面に設けられている２つの底面発光部；で構成されていて、パッド型スイッチ部を通じて制御部を操作することで上記底面発光部に電源を直接供給したり遮断することができることを特徴とする、発光体が備えられたロッドスタンド。
【請求項２】
発光体が備えられたロッドスタンドにおいて、
内蔵バッテリー、上記内蔵バッテリーと繋がっている制御部、及び上記制御部と繋がっているパッド型スイッチ部を備えた支持部と；上記支持部の上端に釣り竿が安着されるようにＹ型掛け空間部が形成されている掛け部と；上記掛け部の上面に備えられている上面接点と；上記掛け部の両端に設けられていて底面接点が敷設されている２つの回転掛け部と；上記掛け部の底面に設けられている２つの底面発光部；で構成されていて、パッド型スイッチ部を通じて制御部を操作することで上記底面発光部に電源を上記上面接点及び底面接点を通じて供給したり遮断することができることを特徴とする、発光体が備えられたロッドスタンド。
【請求項３】
Ｙ型掛け空間部を形成している掛け部は、掛け発光部によって幅を調節でき、ロッドスタンドの掛け部の上面に上向き突出された回転軸と；回転軸に挿入して結合されるスプリングと；掛け発光部の底面に形成された掛け孔と；掛け孔の上端に上記スプリングの一端が安着して結合されることができる掛け溝と；ロッドスタンド部の掛け部上面に成形され、スプリングの他端が固定されることができる固定溝を；さらに含んでいて、釣り竿を上から下に押圧して掛け発光部が回転軸を中心にして非対称回転させることで、釣り竿の外周に沿って掛け空間部を拡張させることができ、釣り竿をロッドスタンドから離脱させる時は、スプリングの弾性力によって掛け発光部が回転して元に戻ることができるように製作されていることを特徴とする、請求項１または２に記載の発光体が備えられたロッドスタンド。
【請求項４】
上記パッド型スイッチ部は、底面発光部の明るさを調節することができることを特徴とする、請求項１に記載の発光体が備えられたロッドスタンド。
【考案の詳細な説明】
【技術分野】
【０００１】
本考案は、発光体が備えられたロッドスタンドに係り、底面発光部が敷設されていて、釣り竿と連動して発光装置を点灯または消灯することができる発光体が備えられたロッドスタンドに関する。
【背景技術】
【０００２】
夜に釣りをする人々は餌を取り替えたり、魚を釣るなど、しばらく照明が必要な時、別途のランタンまたはフラッシュなどを利用するという点で煩わしさがあった。これを解決するために、特許文献１のボディー発光型釣り竿または餌杓子では釣り竿または餌杓子自体を発光させ、夜間照明がなくても釣り竿または餌杓子を認知できるようにして使用の便宜を図り、釣り竿または餌杓子を踏んで破損する事故を防いで、当たり及び釣り竿が向かう位置を容易に認知できるボディー発光型釣り竿または餌杓子を提案したが、これは上記フラッシュやランタンのようにとても明るいため、夜間に周りの人々に迷惑をかけることがあった。
【０００３】
上記不便さを改善するために、本考案は、ロッドスタンドに底面発光部が敷設されて釣り竿がロッドスタンドからの離脱可否によって点灯または人為的に消灯させることで、当該使用者の周りを含んだ限られた半径のみ照らすことができ、明るさを調節する装置または明るさ調節部を利用して照明の明るさを調節できるように製作された発光体が備えられたロッドスタンドを提案する。
【先行技術文献】
【特許文献】
【０００４】
【特許文献１】韓国特許出願番号第１０‐２０１５‐００８５２４４号
【考案の概要】
【考案が解決しようとする課題】
【０００５】
本考案は、発光体が備えられたロッドスタンドに係り、夜間釣りの時、釣り竿を認識して発光部を点灯または消灯できるように発光装置またはロッドスタンドを製作し、魚を釣った時、餌または練りえを容易に取り替えることができ、制限された半径のみを照らすように製作して、他人に明りが照射されることを最小化することができる発光体が備えられたロッドスタンドを提供しようとする。
【０００６】
また、本考案は、ロッドスタンド上端に釣り竿をかけておくことができ、必要に応じて底面発光部の点灯状態を維持できるように製作された発光体が備えられたロッドスタンドを提供しようとする。
【課題を解決するための手段】
【０００７】
上記課題を解決するために、本考案は、ロッドスタンドに底面発光部が設けられていて、釣り竿の安着可否または人為的に上記発光部を作動させることができて、当該使用者の周りの限られた半径のみを照らすように製作された発光体が備えられたロッドスタンドを提供することで解決される。
【考案の効果】
【０００８】
本考案は、発光体が備えられたロッドスタンドに係り、夜間釣りの時、別途ランタンやフラッシュを携帯する必要なく、釣り竿の掛け空間部への安着可否またはパッド型スイッチ部を利用して底面発光部の作動可否を自動に点消灯したり、点灯を維持するように操作することができ、底面発光部から照射される照明を利用して餌または練りえを容易に取り替えることができ、発光部から照射される照明は限定された周りのみを照らすことができるという点で周りの釣り人に対する邪魔を最小化することができる長所がある。
【図面の簡単な説明】
【０００９】
【図１】発光体が備えられたロッドスタンドの使用図である。
【図２】発光体が備えられたロッドスタンドの斜視図である。
【図３】発光体が備えられたロッドスタンドの分離例示図である。
【図４】発光体が備えられたロッドスタンドの内部図である。
【図５】発光体が備えられたロッドスタンドの回路構成例示図である。
【図６】発光体が備えられたロッドスタンドの実施回路図である。
【考案を実施するための形態】
【００１０】
以下、添付の図面を参考してより詳しく説明する。
【００１１】
これに先立ち、本明細書及び請求範囲に使われる用語や単語は通常的や辞書的な意味で限定して解釈してはならず、考案者は自分の考案を最善の方法で説明するために用語の概念を適切に定義することができるという原則に即して本考案の技術的思想に符合する意味と概念で解釈しなければならない。
【００１２】
よって、本明細書に記載された実施例と図面に図示された構成は、本考案の最も好ましい一実施例に過ぎず、本考案の技術的思想を全て代弁するものではないので、本出願時点でこれらは代替することができる様々な均等物と変形例があり得ることを理解しなければならない。
本考案は、発光体が備えられたロッドスタンドに係り、
【００１３】
大きく回転掛け部２２ｂ及びパッド型スイッチ部２４で設定または操作することができ、底面発光部１０が結合されているロッドスタンド２０；で構成されている発光体が備えられたロッドスタンドに関する。
より具体的には、
【００１４】
ロッドスタンド２０は内蔵バッテリー２６が内蔵されている支持部２１と；支持部２１の上端に釣り竿が安着されることができ、Ｙ型掛け空間部２２ａが形成されている掛け部２２と；上記掛け部の底面に敷設されている２つの底面発光部１０と；非対称回転をして幅を調節できるように上記掛け部２２の両端に結合された回転掛け部２２ｂと；上記回転掛け部２２ｂを利用して底面発光部を点消灯することができ、明るさを調節できるようにロッドスタンド２０の外壁に設けられているパッド型スイッチ部２４；で構成され、
【００１５】
さらに、Ｙ型掛け空間部２２ａを形成している掛け部２２は回転掛け部２２ｂによって幅を調節することができ、ロッドスタンド２０の掛け部２２の上面に上方に突出された回転軸２２ｆと；回転軸２２ｆに挿入して結合されるスプリング２８と；掛け部の上面に敷設される上面接点２３と、回転掛け部２２ｂの底面に形成された掛け孔２２ｅと；掛け孔２２ｅの上端に上記スプリング２８の一端が安着して結合されることができる掛け溝２２ｄと；ロッドスタンド２０の掛け部２２の上面に成形されてスプリング２８の他端が固定されることができる固定溝２２ｇと、上記回転掛け部の底面に敷設されている底面接点；で構成され、釣り竿をロッドスタンド２０から離脱させる時はスプリング２８の弾性力によって回転掛け部２２ｂが回転して元に戻ることができ、釣り竿がロッドスタンドに結合する時は掛け空間部が拡張されることができるようにした。
【００１６】
具体的に、図６に図示されたように、内蔵バッテリー、制御部２９、パッド型スイッチ部と底面発光部は直接的に繋がっていて、制御部及びパッド型スイッチ部を操作して底面発光部の点消灯を制御することができ、
【００１７】
また、掛け部の両端に結合される回転掛け部は、釣り竿が掛け部に安着される時、回転掛け部が回転、確張して上面接点と底面接点が離れて電源供給が遮断されて底面発光部が消灯され、釣り竿が掛け部から離脱された時、上面接点２３と底面接点２５が繋がって電源が底面発光部に供給され、底面発光部の点消灯を制御することができる。
【００１８】
すなわち、パッド型スイッチ部２４を利用して底面発光部に電源を直接供給するか、または回転掛け部が回転拡張されたり縮小される時の上面接点及び底面接点の連結可否によって上面接点及び底面接点を通じて底面発光体に電源を供給して点消灯させられのか否かを決めたり設定することができる。
【００１９】
実施例としては、パッド型スイッチ部を利用して釣り竿の離脱または安着によって回転掛け部が回転拡張されることで底面接点と上面接点が分離される場合、底面発光部への電源供給が遮断され、釣り竿が掛け空間部から離脱される場合、回転掛け部の底面接点と支持部の上面接点が繋がって底面発光部に電源が供給されるようにし、
【００２０】
また、パッド型スイッチ部を利用して回転掛け部の底面接点と掛け部の上面接点の連結可否と関係なく、電源をそれぞれの底面発光部に直接供給することができ、また、必要に応じて、釣り竿の据え置き可否によって底面発光部を点消灯することができ、底面発光部の左側または右側の中で１つ以上に電源を供給して作動させることができるようにした。
また、パッド型スイッチを利用して明るさを調節できるように製作した。
【００２１】
上記パッド型スイッチを利用してそれぞれの底面発光部の中で１つ以上に電源を印加したり明るさを調節する制御方法、または釣り竿の据え置き可否によって底面発光部に電源が供給されたり遮断されるようにするためのものは、既存の公知された技術から類推できることは自明であるため、別途説明しないことにする。
【００２２】
以上のように、本考案では具体的な構成要素などのような特定事項と、限定された実施例及び図面によって説明されたが、これは本考案を全般的により理解しやすくするために提供されたものに過ぎず、本考案は上記の実施例に限定されることではなく、本考案が属する分野で通常の知識を有する者であれば、このような記載から様々な修正及び変形が可能である。
【００２３】
したがって、本考案の思想は説明された実施例に限定されてはならず、後述する請求範囲だけでなく、この請求範囲と均等または等価的変形がある全てのものなどは本考案の範疇に属するといえる。
【符号の説明】
【００２４】
１０ 底面発光部
２０ ロッドスタンド
２１ 支持部
２２ 掛け部
２２ａ 掛け空間部
２２ｂ 回転掛け部
２２ｄ 掛け溝
２２ｅ 掛け孔
２２ｆ 回転軸
２２ｇ 固定溝
２３ 上面接点
２４ パッド型スイッチ
２５ 底面接点
２６ 内蔵バッテリー
２８ スプリング
２９ 制御部
【図１】
0003228116.tif 000003
【図２】
0003228116.tif 000004
【図３】
0003228116.tif 000005
【図４】
0003228116.tif 000006
【図５】
0003228116.tif 000007
【図６】
0003228116.tif 000008